(57)【要約】【課題】汽力発電プラントとガスタービンプラントを組み合わせた複合発電において、復水器の受入れ口を従来のプラントから増加させること無く、発生した蒸気を復水器へダンプする系統を構成する手段を提供する。【解決手段】汽力発電プラントとガスタービンプラントを設けた複合発電プラントにおいて、主蒸気管６０と復水器２５を結び、燃焼ボイラ１０で発生した蒸気を蒸気タービンをバイパスして復水器２５へダンプする系統１と、排熱回収ボイラの高圧蒸気管７０，低圧蒸気管７１を接続するＨＲＳＧ高圧タービンバイパス系統２，ＨＲＳＧ低圧タービンバイパス系統３を設けたものである。【選択図】　図１
2004132357.tif 000002
【特許請求の範囲】
【請求項１】
燃焼ボイラと、主蒸気管，低温再熱蒸気管および高温再熱蒸気管からなる燃焼ボイラ蒸気管と、蒸気タービンと、復水器と、復水・給水系統で構成される汽力発電プラントと、
ガスタービンと、前記ガスタービンの排ガスを熱源とする排熱回収ボイラと、排熱回収ボイラから前記蒸気タービンへ発生蒸気を供給する排熱回収ボイラ蒸気管で構成されるガスタービンプラントとを設けた複合発電プラントにおいて、
前記燃焼ボイラ蒸気管と前記復水器を結び、前記燃焼ボイラで発生した蒸気を前記蒸気タービンをバイパスして前記復水器へダンプする系統と、
前記排熱回収ボイラ蒸気管と前記復水器へダンプする系統を接続する配管を有することを特徴とする複合発電プラント。
【請求項２】
前記復水器へダンプする系統は、フラッシュタンクを有するタービンバイパス系統であり、前記排熱回収ボイラ蒸気管と前記復水器へダンプする系統の接続位置を、前記タービンバイパス系統の前記フラッシュタンクもしくは前記フラッシュタンク近傍の配管とすることを特徴とする請求項１記載の複合発電プラント。
【請求項３】
前記復水器へダンプする系統は、タービンバイパス弁を有し、前記排熱回収ボイラ蒸気管と前記復水器へダンプする系統の接続位置を、前記タービンバイパス弁から前記復水器までの配管とすることを特徴とする請求項１記載の複合発電プラント。
【請求項４】
前記復水器へダンプする系統は、タービンバイパス弁と減温器を有し、前記排熱回収ボイラ蒸気管と前記復水器へダンプする系統の接続位置を、前記タービンバイパス弁から前記減温器までの配管とすることを特徴とする請求項１記載の複合発電プラント。
【請求項５】
前記復水器へダンプする系統は、前記汽力発電プラントの主蒸気管ドレン系統であり、前記排熱回収ボイラ蒸気管と前記復水器へダンプする系統の接続位置を、前記主蒸気管ドレン系統の配管とすることを特徴とする請求項１記載の複合発電プラント。
【請求項６】
前記復水器へダンプする系統は、前記汽力発電プラントの過熱器バイパス系統であり、前記排熱回収ボイラ蒸気管と前記復水器へダンプする系統の接続位置を、前記過熱器バイパス系統の配管とすることを特徴とする請求項１記載の複合発電プラント。
【請求項７】
前記復水器へダンプする系統に設けた弁と、前記弁の状態値を入力として、ガスタービンプラントの起動タイミングを制御する制御装置を設けたことを特徴とする請求項１〜６の何れかに記載の複合発電プラント。
【請求項８】
燃焼ボイラと、主蒸気管，低温再熱蒸気管および高温再熱蒸気管からなる燃焼ボイラ蒸気管と、蒸気タービンと、復水器と、復水・給水系統で構成される汽力発電プラントと、
ガスタービンと、前記ガスタービンの排ガスを熱源とする排熱回収ボイラと、排熱回収ボイラから前記蒸気タービンへ発生蒸気を供給する排熱回収ボイラ蒸気管で構成されるガスタービンプラントと、
前記燃焼ボイラ蒸気管と前記復水器を結び、前記燃焼ボイラで発生した蒸気を前記蒸気タービンをバイパスして前記復水器へダンプする系統と、
前記排熱回収ボイラ蒸気管と前記復水器へダンプする系統を接続する配管を有する複合発電プラントの起動方法であって、
前記燃焼ボイラを起動し、前記燃焼ボイラの起動状態を前記復水器へのダンプ系統に設けた弁の状態値を入力として、前記燃焼ボイラが前記復水器へのダンプ系統を使用しない状態になるか、または前記燃焼ボイラから前記復水器へダンプする系統の蒸気量が規定値以下になったことを判定し、前記条件が成立した場合に前記ガスタービンプラントを起動することを特徴とする複合発電プラントの起動方法。
【請求項９】
燃焼ボイラと、主蒸気管，低温再熱蒸気管および高温再熱蒸気管からなる燃焼ボイラ蒸気管と、蒸気タービンと、復水器と、復水・給水系統で構成される汽力発電プラントと、
ガスタービンと、前記ガスタービンの排ガスを熱源とする排熱回収ボイラと、排熱回収ボイラから前記蒸気タービンへ発生蒸気を供給する排熱回収ボイラ蒸気管で構成されるガスタービンプラントと、
前記燃焼ボイラ蒸気管と前記復水器を結び、前記燃焼ボイラで発生した蒸気を前記蒸気タービンをバイパスして前記復水器へダンプする系統と、
前記排熱回収ボイラ蒸気管と前記復水器へダンプする系統を接続する配管を有する複合発電プラントに用いられる複合発電プラントの制御装置であって、
前記復水器へのダンプ系統に設けられた弁の状態値を入力として、前記燃焼ボイラが前記復水器へのダンプ系統を使用しない状態になるか、または前記燃焼ボイラから前記復水器へダンプする系統の蒸気量が規定値以下になったことを判定し、前記条件が成立した場合にガスタービンプラントを起動するように制御することを特徴とする複合発電プラントの制御装置。
【請求項１０】
既設の汽力発電プラントに追設されるガスタービンプラントであって、前記ガスタービンは、ガスタービンと、前記ガスタービンの排ガスを熱源とする排熱回収ボイラと、排熱回収ボイラから前記汽力プラントの蒸気タービンへ発生蒸気を供給する排熱回収ボイラ蒸気管で構成され、
前記汽力発電プラントの燃焼ボイラ蒸気管と復水器を結び前記燃焼ボイラで発生した蒸気を前記蒸気タービンをバイパスして前記復水器へダンプする系統に、前記排熱回収ボイラ蒸気管を接続する配管を有することを特徴とするガスタービンプラント。
【請求項１１】
前記汽力発電プラントの前記復水器へのダンプ系統には弁が設けられ、前記弁の状態値を入力として、前記燃焼ボイラが前記復水器へのダンプ系統を使用しない状態になるか、または前記燃焼ボイラから前記復水器へダンプする系統の蒸気量が規定値以下になったことを判定し、前記条件が成立した場合にガスタービンプラントを起動するように制御することを特徴とする請求項１０記載のガスタービンプラント。
【請求項１２】
燃焼ボイラと、該燃焼ボイラの発生蒸気で駆動される蒸気タービンと、前記蒸気タービンから排出された蒸気を復水する復水器とを有する汽力発電プラントと、
ガスタービンと、該ガスタービンを熱源として前記蒸気タービンを駆動する蒸気を発生させる排熱回収ボイラとを有するガスタービンプラントとで構成される複合発電プラントにおいて、
前記蒸気タービンをバイパスして前記復水器に供給する、前記燃焼ボイラと前記排熱回収ボイラの各々の発生蒸気のタービンバイパス系統を一部共用させた構成にしたことを特徴とする複合発電プラント。
【請求項１３】
燃焼ボイラと、該燃焼ボイラの発生蒸気で駆動される蒸気タービンと、前記燃焼ボイラで発生した蒸気を前記蒸気タービンに供給する燃焼ボイラ蒸気管と、前記蒸気タービンから排出された蒸気を復水する復水器とを有する汽力発電プラントと、
ガスタービンと、該ガスタービンを熱源とする排熱回収ボイラと、前記排熱回収ボイラで発生した蒸気を前記燃焼ボイラ蒸気管に供給する排熱回収ボイラ蒸気管とを有するガスタービンプラントと、によって構成される複合発電プラントにおいて、
前記燃焼ボイラ蒸気管を流下する前記燃焼ボイラの発生蒸気を、前記蒸気タービンをバイパスさせる第１のタービンバイパス系統と、
前記排熱回収ボイラ蒸気管を流下する、前記燃焼ボイラ蒸気管を介して前記蒸気タービンに供給される前記排熱回収ボイラの発生蒸気を、前記燃焼ボイラ蒸気管をバイパスさせる第２のタービンバイパス系統とを設け、
前記第１，第２のタービンバイパス系統を一部共用させた構成として、バイパスさせる前記燃焼ボイラおよび／又は排熱回収ボイラの発生蒸気を、共用させた系統を通じて前記復水器にダンプするようにしたことを特徴とする複合発電プラント。
【発明の詳細な説明】
【０００１】
【発明の属する技術分野】
本発明は、汽力発電プラントとガスタービンプラントを組み合わせた複合発電プラントに関する。
【０００２】
【従来の技術】
燃焼ボイラ，蒸気タービンおよび復水器等から構成される汽力発電プラントと、ガスタービンおよび排熱回収ボイラから構成されるガスタービンプラントを組み合わせた複合発電プラントとして、汽力発電プラントの燃焼ボイラで発生した蒸気とガスタービンプラントの排熱回収ボイラで発生した蒸気を合流させて、蒸気タービンを駆動する発電プラントが知られている。
【０００３】
この種の発電プラントに関連するものには、例えば特開２０００−２２０４１２号公報が挙げられる。
【０００４】
【特許文献１】
特開２０００−２２０４１２号公報（図１）
【０００５】
【発明が解決しようとする課題】
発電プラントでは、起動停止時及び負荷遮断時等に、ボイラで発生する蒸気を、復水器へダンプする系統を有する。上記従来技術は、汽力発電プラントとガスタービンプラントを組み合わせた発電プラントであり、蒸気を発生するボイラが燃焼ボイラと排熱回収ボイラの２つあるため、発生した蒸気を復水器へダンプする系統を２系統設置する必要があり、系統構成が複雑となり、復水器の受入れ口を複数設置する必要があった。
【０００６】
本発明の目的は、復水器の受入れ口を従来のプラントから増加させること無く、発生した蒸気を復水器へダンプする系統を構成する手段を提供することにある。
【０００７】
【課題を解決するための手段】
上記目的を達成するために、本発明の複合発電プラントは、燃焼ボイラ蒸気管と復水器を結び、燃焼ボイラで発生した蒸気を蒸気タービンをバイパスして復水器へダンプする系統と、この復水器へダンプする系統に排熱回収ボイラ蒸気管を接続する配管を設けたものである。
【０００８】
【発明の実施の形態】
以下、図１〜図６を参照して、本発明の実施例を説明する。
【０００９】
《実施例１》
本発明による複合発電プラントの一実施例を、図１を用いて説明する。
【００１０】
本発電プラントは、主に、燃焼ボイラ１０，主蒸気管６０，低温再熱蒸気管
６１および高温再熱蒸気管６２の燃焼ボイラ蒸気管，高・中・低圧蒸気タービン２１，２２，２３，復水器２５と復水・給水系統で構成される汽力発電プラントと、ガスタービン４０およびガスタービン４０の排ガスを熱源とする排熱回収ボイラ５０，高圧蒸気管７０および低圧蒸気管７１の排熱回収ボイラ蒸気管から構成されるガスタービンプラントの、二つの設備から構成されている。
【００１１】
図１において、燃焼ボイラ１０に供給された給水は、節炭器１２で加熱され、蒸発器１３で蒸気を発生する。発生した蒸気は、１次過熱器１４，２次過熱器
１５で過熱されながら、蒸発器１３と高圧蒸気タービン２１を結ぶ主蒸気管６０により、過熱蒸気として高圧蒸気タービン２１へ導かれる。一方、排熱回収ボイラ５０で発生した蒸気は、高圧ドラム５１と主蒸気管６０を結ぶ、高圧蒸気管
７０により、主蒸気管６０に合流し、同じく過熱蒸気として、高圧蒸気タービン２１に流入する。
【００１２】
高圧蒸気タービン２１を駆動した後の蒸気は、低温再熱蒸気管６１を通り、燃焼ボイラ１０の再熱器１１に導かれる。再熱器１１で過熱された蒸気は高温再熱蒸気管６２を経て中圧蒸気タービン２２へ供給される。一方、排熱回収ボイラ
５０で発生した蒸気は、低圧ドラム５２と高温再熱蒸気管６２を結ぶ、低圧蒸気管７１により、高温再熱蒸気管６２に合流し、同じく過熱蒸気として、中圧蒸気タービン２２に流入する。
【００１３】
中圧蒸気タービン２２を駆動した後の蒸気は、クロスオーバー管６３を通り、低圧蒸気タービン２３へ導かれる。さらに低圧蒸気タービン２３を駆動した後の蒸気は、復水器２５に導かれて復水となる。
【００１４】
復水器２５で凝縮された復水は復水ポンプ３０によって加圧され、グランド蒸気復水器３１で加熱された後、汽力発電プラントの復水とガスタービンプラントの排熱回収ボイラ５０の給水とに分岐される。
【００１５】
汽力発電プラントの復水系統には、復水器２５と脱気器３４を結ぶ復水管６５を設ける。そして、汽力発電プラントの復水は、低圧給水加熱器３２で加熱され、脱気器３４により脱気され、給水となる。また、汽力発電プラントの給水系統には脱気器３４と燃焼ボイラ１０とを結ぶ給水管６６を設ける。そして、汽力発電プラントの給水は、給水ポンプ３６で加圧され、高圧給水加熱器３７で加熱された後、燃焼ボイラ１０に戻るようになっている。
【００１６】
一方、ガスタービンプラントの給水は、給水管７２を通り、ガスタービン４０の排ガスを熱源とする排熱回収ボイラ５０に流入し、ガスタービン排ガスとの熱交換により蒸気となり、高圧ドラム５１と主蒸気管６０を結ぶ、高圧蒸気管７０により、主蒸気管６０に合流し、過熱蒸気として、高圧蒸気タービン２１を駆動する。
【００１７】
また、排熱回収ボイラ５０の内部で分岐して、低圧ドラム５２へ送られた給水は、ガスタービン排ガスとの熱交換により蒸気となり、低圧ドラム５２と高温再熱蒸気管６２を結ぶ、低圧蒸気管７１により、高温再熱蒸気管６２に合流し、過熱蒸気として、中圧蒸気タービン２２を駆動する。
【００１８】
以上のサイクルにより通常運転中の発電を行い、本発電プラントの電気エネルギーは回転軸が直結された高・中・低圧蒸気タービン２１，２２，２３により駆動される蒸気タービン発電機２４、およびガスタービンにより駆動されるガスタービン発電機４４から発生する。
【００１９】
通常運転中は上述のサイクルにより運転されるが、汽力発電プラントでは、起動・停止時及び負荷遮断時など、発生した蒸気を蒸気タービンへ通気できない時のために、発生した蒸気を復水器へダンプする系統が設置される。本実施例では、この系統として、主蒸気管６０から分岐してタービンバイパス弁８及び配管を経て、復水器２５へ接続されるかたちで構成したタービンバイパス系統１を設置している。このタービンバイパス系統１により、燃焼ボイラ１０で発生する蒸気を復水器２５へダンプ可能となる。
【００２０】
一方、排熱回収ボイラ５０で発生する蒸気のためのタービンバイパス系統としては、高圧蒸気管７０から分岐してタービンバイパス系統１へ接続されるＨＲＳＧ高圧タービンバイパス系統２、及び低圧蒸気管７１から分岐してタービンバイパス系統１へ接続されるＨＲＳＧ低圧タービンバイパス系統３を設置する。
【００２１】
すなわち、本実施例では第２のタービンバイパス系統であるＨＲＳＧ高圧タービンバイパス系統２（ＨＲＳＧ低圧タービンバイパス系統３）を、第１のタービンバイパス系統１の途中に接続した系統に構成しており、ＨＲＳＧ高圧タービンバイパス系統２（ＨＲＳＧ低圧タービンバイパス系統３）の接続点以降から復水器２５に至るまでのタービンバイパス系統１を、燃焼ボイラ１０と排熱回収ボイラ５０の発生蒸気のバイパス系統として共用させている。
【００２２】
汽力発電プラントとガスタービン及び排熱回収ボイラを組み合わせたパラレル発電システムを建設する場合、本実施例のようにタービンバイパス系統１の一部を排熱回収ボイラ５０におけるタービンバイパス系統としても共用することで、復水器２５の大型化や複雑化を招くことがなくなり、復水器やタービンバイパス系統の設備費低減に大きく寄与することができる。また、既設の汽力発電プラントにガスタービンプラントを追設してリパワリングする場合には、復水器の大幅な改造が必要となり、場合によっては改造では対応できないこともあるが、前述したようにタービンバイパス系統を構成することで、これらの課題を解決することが可能となる。
【００２３】
本プラントの起動は、まず汽力発電プラントを起動した後、ガスタービンプラントを起動するかたちで行われる。したがって、まず燃焼ボイラ１０を起動して、燃焼ボイラ１０で発生した蒸気をタービンバイパス系統１により復水器２５へ排出して、燃焼ボイラ１０で発生する蒸気の圧力温度が蒸気タービンへの通気条件を満足した後、蒸気タービンへ通気する。そして、燃焼ボイラ１０で発生する蒸気が全量蒸気タービンへ導入されて、タービンバイパス系統１を使用しない運転状態になるか、または燃焼ボイラ１０からタービンバイパス系統１への蒸気量が規定値以下になってから、ガスタービンプラントを起動する。排熱回収ボイラ５０から発生する蒸気は、ＨＲＳＧ高圧タービンバイパス系統２及びＨＲＳＧ低圧タービンバイパス系統３を経て、タービンバイパス系統１へ送られ、さらに復水器２５へ排出される。排熱回収ボイラ５０からの高圧蒸気の圧力温度が、主蒸気への混入条件を満足した後、また排熱回収ボイラ５０からの低圧蒸気の圧力温度が、高温再熱蒸気への混入条件を満足した後に、それぞれの排熱回収ボイラからの蒸気が主蒸気管６０および高温再熱蒸気管６２に混入され、タービンバイパス系統１を使用しない状態となる。このように、燃焼ボイラ１０のタービンバイパス系統１を、燃焼ボイラ１０及び排熱回収ボイラ５０が順次使用することにより、排熱回収ボイラからの各タービンバイパス系統２，３を燃焼ボイラ１０のタービンバイパス系統１へ接続することが可能となる。
【００２４】
上記のような運転は、制御装置８０がタービンバイパス弁８の開度状態等を監視して、上記の運転状態を満足する場合に、ガスタービン４０の起動を許可することにより達成される。
【００２５】
尚、負荷遮断時及び蒸気タービントリップ時には、汽力発電プラントとガスタービンプラントとも、同時に発生蒸気を蒸気タービンへ通気できなくなるため、タービンバイパス系統１だけでは発生蒸気を処理できない。このため、汽力発電プラントとガスタービンプラントで発生した蒸気を大気へ放出する大気放出弁
６４を燃焼ボイラ蒸気管や排熱回収ボイラ蒸気管に設置しておくと良い。
【００２６】
本実施例の複合発電プラントによれば、汽力発電プラント及びガスタービンプラントの各々のプラントに発生した蒸気を復水器へダンプする系統をそれぞれ設置する必要がなくなるため、復水器の受入れ口を従来のプラントから増加させること無く、発生した蒸気を復水器へダンプすることが可能となる。また、ガスタービンプラント及び汽力発電プラントの運転状態を監視して、各々のプラントを起動させる事により、ガスタービンプラントまたは汽力発電プラントで発生した蒸気を同時に復水器へダンプすることがなくなるため、ダンプ系統の容量低減を図ることが可能となる。
【００２７】
本発明の代表的実施例は上述の通りであるが、発生した蒸気を復水器へダンプする系統は、種々の構成があるので、他の実施例を以下に示す。
【００２８】
《実施例２》
本発明による複合発電プラントの第２の実施例を、図２に示すが、図１と同一部分には同一の符号を付してその説明を省略し、ここでは異なる点についてのみ述べる。尚、制御装置８０については、図示を省略している。
【００２９】
発生した蒸気を復水器へダンプする系統としてタービンバイパス系統１を設置している。本実施例のタービンバイパス系統は、１次過熱器１４出口の主蒸気管６０から分岐して配管及びフラッシュタンク４を経て、さらに配管により復水器２５へ接続されるかたちで構成されている。このタービンバイパス系統１により、燃焼ボイラ１０の起動時の発生蒸気を復水器２５へダンプしている。
【００３０】
一方、排熱回収ボイラ５０で発生する蒸気のためのタービンバイパス系統として、高圧蒸気管７０から分岐してフラッシュタンク４へ接続されるＨＲＳＧ高圧タービンバイパス系統２、及び低圧蒸気管７１から分岐してフラッシュタンク４へ接続されるＨＲＳＧ低圧タービンバイパス系統３を設置する。尚、ここで排熱回収ボイラ５０からの各々のタービンバイパス系統の接続先はフラッシュタンク４だけでなく、フラッシュタンク４近傍の配管でもよい。
【００３１】
《実施例３》
本発明による複合発電プラントの第３の実施例を、図３に示すが、図１および図２と同一部分には同一の符号を付してその説明を省略し、ここでは異なる点についてのみ述べる。尚、制御装置８０については、図示を省略している。
【００３２】
燃焼ボイラ１０のタービンバイパス系統として、主蒸気管６０から分岐して低温再熱蒸気管６１へ接続される高圧タービンバイパス系統１ａ、及び高温再熱蒸気管６２から分岐して復水器２５へ接続される低圧タービンバイパス系統１ｂが設置されている。さらに、主蒸気管６０と復水器２５を接続する過熱器蒸気管ドレン系統５が設置されている。発生した蒸気を復水器へダンプする系統としては、主蒸気管ドレン系統５および低圧タービンバイパス系統１ｂがある。
【００３３】
ＨＲＳＧ発生蒸気のタービンバイパスは、ＨＲＳＧ高圧タービンバイパス系統２が主蒸気管ドレン系統５へ、またＨＲＳＧ低圧タービンバイパス系統３が低圧タービンバイパス系統１ｂへ接続されるかたちで構成されている。
【００３４】
《実施例４》
本発明による複合発電プラントの第４の実施例を、図４に示すが、図１〜図３と同一部分には同一の符号を付してその説明を省略し、ここでは異なる点についてのみ述べる。尚、制御装置８０については、図示を省略している。
【００３５】
本実施例では、主蒸気管６０と復水器２５を接続する２次過熱器バイパス系統６が設置されている。発生した蒸気を復水器へダンプする系統としては、２次過熱器バイパス系統６および低圧タービンバイパス系統１ｂがある。
【００３６】
排熱回収ボイラ５０で発生する蒸気のためのタービンバイパス系統は、高圧蒸気管７０から分岐して２次過熱器バイパス系統６へ接続されるＨＲＳＧ高圧タービンバイパス系統２、及び低圧蒸気管７１から分岐して低圧タービンバイパス系統１ｂへ接続されるＨＲＳＧ低圧タービンバイパス系統３が設置される。
【００３７】
《実施例５》
本発明による複合発電プラントの第５の実施例を、図５に示すが、図１〜図４と同一部分には同一の符号を付してその説明を省略し、ここでは異なる点についてのみ述べる。尚、制御装置８０については、図示を省略している。
【００３８】
本実施例では、主蒸気管６０と復水器２５を接続する過熱器入口ダンプ系統７が設置されている。発生した蒸気を復水器へダンプする系統としては、過熱器入口ダンプ系統７およびタービンバイパス系統１がある。
【００３９】
排熱回収ボイラ５０で発生する蒸気のためのタービンバイパス系統は、高圧蒸気管７０から分岐してタービンバイパス系統１へ接続されるＨＲＳＧ高圧タービンバイパス系統２、及び低圧蒸気管７１から分岐して過熱器入口ダンプ系統７へ接続されるＨＲＳＧ低圧タービンバイパス系統３が設置される。
【００４０】
《実施例６》
本発明による複合発電プラントの第６の実施例を、図６に示すが、図１〜図５と同一部分には同一の符号を付してその説明を省略し、ここでは異なる点についてのみ述べる。尚、制御装置８０については、図示を省略している。
【００４１】
本実施例では、タービンバイパス系統１に減温器９が設置されており、ＨＲＳＧ高圧タービンバイパス系統２，ＨＲＳＧ低圧タービンバイパス系統３の両方ともにタービンバイパス系統１へ接続されており、接続位置はタービンバイパス弁８から減温器９までの配管としている。
【００４２】
本複合発電プラントの建設形態を考えると、上述のように新規に本複合発電プラントを建設するケースの他に、既設の汽力発電プラントに新規にガスタービンプラントを追設するケースや、燃焼ボイラやガスタービンプラントは新規に建設し、蒸気タービン等は既設の設備を流用するケースなどが考えられる。
【００４３】
新規に本発電プラントを建設する場合には、汽力発電プラント及びガスタービンプラントの各々のプラントで発生した蒸気を復水器へダンプする系統をそれぞれ設置する必要がなくなる。また、既設の汽力発電プラントにガスタービンプラントを追設する場合であっても、排熱回収ボイラで発生した蒸気を復水器へダンプする系統の受入れ口を新たに設置する必要が無く、復水器の大幅な改造は不要となる。
【００４４】
【発明の効果】
本発明により、汽力発電プラント及びガスタービンプラントの各々のプラントに発生した蒸気を復水器へダンプする系統をそれぞれ設置する必要がなくなるため、復水器の受入れ口を従来のプラントから増加させること無く、発生した蒸気を復水器へダンプする系統を構成することができる。
【図面の簡単な説明】
【図１】本発明の実施例１の複合発電プラントの概略図。
【図２】本発明の実施例２の複合発電プラントの概略図。
【図３】本発明の実施例３の複合発電プラントの概略図。
【図４】本発明の実施例４の複合発電プラントの概略図。
【図５】本発明の実施例５の複合発電プラントの概略図。
【図６】本発明の実施例６の複合発電プラントの概略図。
【符号の説明】
１…タービンバイパス系統、２…ＨＲＳＧ高圧タービンバイパス系統、３…
ＨＲＳＧ低圧タービンバイパス系統、４…フラッシュタンク、５…主蒸気管ドレン系統、６…２次過熱器バイパス系統、７…過熱器入口ダンプ系統、８…タービンバイパス弁、９…減温器、１０…燃焼ボイラ、１１…再熱器、１２…節炭器、１３…蒸発器、１４…１次過熱器、１５…２次過熱器、２１…高圧蒸気タービン、２２…中圧蒸気タービン、２３…低圧蒸気タービン、２４…蒸気タービン発電機、２５…復水器、３０…復水ポンプ、３１…グランド蒸気復水器、３２…低圧給水加熱器、３４…脱気器、３６…給水ポンプ、３７…高圧給水加熱器、４０…ガスタービン、４１…圧縮機、４２…タービン、４３…燃焼器、４４…ガスタービン発電機、５０…排熱回収ボイラ（ＨＲＳＧ）、５１…高圧ドラム、５２…低圧ドラム、６０…主蒸気管、６１…低温再熱蒸気管、６２…高温再熱蒸気管、
６３…クロスオーバー管、６４…大気放出弁、７０…高圧蒸気管、７１…低圧蒸気管、７２…給水管、８０…制御装置。
【図１】
2004132357.tif 000003
【図２】
2004132357.tif 000004
【図３】
2004132357.tif 000005
【図４】
2004132357.tif 000006
【図５】
2004132357.tif 000007
【図６】
2004132357.tif 000008